(57)【要約】【課題】撮影者の撮影意図に応じたシャドー基準補正若しくはハイライト基準補正が可能であるデジタルカメラを提供することである。【解決手段】このデジタルカメラに於いては、測光センサ２５にて被写体輝度が測定され、上記測光センサ２５の測光値により露出値がシーケンスコントローラ４１に於いて演算される。また、このシーケンスコントローラ４１では、上記演算された露出値が所定量補正される。そして、上記演算された露出値、若しくは上記補正された露出値に基づいて、ＣＣＤ３４によって撮像動作が実行される。このＣＣＤ３４の出力信号は、画像処理回路４４にて、設定されたガンマ特性に応じて処理される。そして、シーケンスコントローラ４１に於いて、上記画像処理回路４４のガンマ特性に応じて、上記補正値の所定量が変更される。【選択図】      図１
2007129564.tif 000002
【特許請求の範囲】
【請求項１】
被写体輝度を測定する測光手段と、
上記測光手段の測光値により露出値を演算する演算手段と、
上記演算手段で演算された露出値を所定量補正する補正手段と、
上記演算手段で演算された露出値、若しくは上記補正手段によって補正された露出値に基づいて撮像動作を実行する撮像手段と、
設定されたガンマ特性に応じて上記撮像手段の出力信号を処理する画像処理手段と、
を具備し、
上記補正手段は、上記画像処理手段のガンマ特性に応じて上記補正値の所定量を変更することを特徴とするデジタルカメラ。
【請求項２】
上記ガンマ特性は、ユーザ選択が可能であることを特徴とする請求項１に記載のデジタルカメラ。
【請求項３】
上記ガンマ特性は、撮影モードに応じて変更されることを特徴とする請求項１に記載のデジタルカメラ。
【請求項４】
上記測光手段はスポット測光を行い、上記補正手段はハイライト基準側、若しくはシャドー基準側に露出値を補正することを特徴とする請求項１に記載のデジタルカメラ。
【発明の詳細な説明】
【技術分野】
【０００１】
本発明はデジタルカメラに関し、より詳細には、被写体のシャドー部分若しくはハイライト部分を基準にして露光量を決定することが可能なデジタルカメラの自動露出に関するものである。
【背景技術】
【０００２】
被写体を測光し、その測光結果に従って露光量を決定する場合、カメラは被写体と所定反射率と露光量を決定するため、測光範囲の被写体の反射率が極端に高い、若しくは低いとき、白い被写体も黒い被写体もグレーに撮影されてしまうことがある。その際、撮影者は、経験に基づいて、露出オーバ、若しくは露出アンダーに補正することで、白い被写体は白く、黒い被写体は黒くなるようにしている。
【０００３】
このような手法を自動化した例が、下記特許文献１に開示されている。これは、スイッチ操作によりシャドー基準補正モードまたはハイライト基準補正モードが選択されていた場合に、フィルムのラチチュードに応じて露出値をアンダー側、またはオーバ側に自動的にシフトさせるようにした技術である。
【特許文献１】特許公報第２８６８２２６号
【発明の開示】
【発明が解決しようとする課題】
【０００４】
しかしながら、上述した特許文献１はフィルムカメラに関するものであり、デジタルカメラの場合、ラチチュードに相当するファクタが存在しないので、上記特許文献１の課題とは無関係である。
【０００５】
ところで、デジタルカメラに於いては、ガンマ（γ）特性を変更することによって、コントラスト重視の画像や階調を重視した画像等を、自由に作成することができるという特徴を有している。デジタルカメラの撮影者は、ハイライト基準補正、またはシャドー基準補正を行う場合、選択したガンマ特性を考慮した上で露出補正値を決定しなければ、作画意図にあった写真を撮影することは困難なものであった。
【０００６】
したがって、本発明は上記課題に鑑みてなされたものであり、その目的は、撮影者の撮影意図に応じたシャドー基準補正若しくはハイライト基準補正が可能であるデジタルカメラを提供することである。
【課題を解決するための手段】
【０００７】
すなわち請求項１に記載の発明は、被写体輝度を測定する測光手段と、上記測光手段の測光値により露出値を演算する演算手段と、上記演算手段で演算された露出値を所定量補正する補正手段と、上記演算手段で演算された露出値、若しくは上記補正手段によって補正された露出値に基づいて撮像動作を実行する撮像手段と、設定されたガンマ特性に応じて上記撮像手段の出力信号を処理する画像処理手段と、を具備し、上記補正手段は、上記画像処理手段のガンマ特性に応じて上記補正値の所定量を変更することを特徴とする。
【０００８】
請求項２に記載の発明は、請求項１に記載の発明に於いて、上記ガンマ特性は、ユーザ選択が可能であることを特徴とする。
【０００９】
請求項３に記載の発明は、請求項１に記載の発明に於いて、上記ガンマ特性は、撮影モードに応じて変更されることを特徴とする。
【００１０】
請求項４に記載の発明は、請求項１に記載の発明に於いて、上記測光手段はスポット測光を行い、上記補正手段はハイライト基準側、若しくはシャドー基準側に露出値を補正することを特徴とする。
【発明の効果】
【００１１】
本発明によれば、撮影者の撮影意図に応じたシャドー基準補正若しくはハイライト基準補正が可能であるデジタルカメラを提供することができる。
【発明を実施するための最良の形態】
【００１２】
以下、図面を参照して、本発明の一実施形態を説明する。
【００１３】
図１は、本発明の一実施形態に係るデジタルカメラの電気回路構成を説明するためのブロック図である。
【００１４】
本デジタルカメラ（以下、単にカメラと略記する）は、カメラ本体２０と、このカメラ本体２０の前面部に装着自在の交換レンズ１０とから構成される。
【００１５】
交換レンズ１０は、撮影レンズ１１と、絞り１２と、レンズ駆動回路１５と、絞り駆動機構１６と、レンズＣＰＵ１７と、レンズデータＲＯＭ１８とを有して構成される。
【００１６】
撮影レンズ１１は、フォーカスレンズやズームレンズ等の複数のレンズから構成されており、図示されない被写体の像（被写体像）をカメラ本体２０内に入射させるものである。絞り１２は、カメラ本体２０内に入射する被写体像の光量を調節するためのものである。また、レンズ駆動回路１５は、レンズＣＰＵ１７の制御に基づいて、上記撮影レンズ１１の焦点調節駆動や変倍駆動を行う。絞り駆動機構１６は、レンズＣＰＵ１７の制御に基づいて絞り１２の開閉駆動を行う。
【００１７】
レンズＣＰＵ１７は、上述したように、レンズ駆動回路１５の制御や絞り駆動機構１６の制御等、交換レンズ１０内の各部の制御を行う。更に、レンズＣＰＵ１７は、カメラ本体２０内の後述するカメラ用制御回路４０と通信可能に構成されている。また、レンズデータＲＯＭ１８は、当該交換レンズ１０の固有のデータ、例えばレンズの種類、開放絞り値、焦点距離等のデータが格納されているもので、レンズＣＰＵ１７を経て、通信によってカメラ用制御回路４０に伝達される。
【００１８】
一方、カメラ本体２０は、以下のように構成されている。
【００１９】
交換レンズ１０内の撮影レンズ１１、絞り１２を介して入射される被写体像は、可動ミラー２１で反射され、フォーカシングスクリーン２２で結像して、ペンタプリズム２３を介して接眼レンズ２４に至る。これにより、撮影者が被写体像を観察することが可能となる。また、接眼レンズ２４の近傍には測光手段である測光センサ２５が設けられており、上記被写体像に基づく光束の光量に応じた信号が、後述するカメラ用制御回路４０内の入出力回路５０に出力されるようになっている。
【００２０】
上記可動ミラー２１は、ミラー駆動機構２８の駆動によって、図示されている被写体観察位置と図示されない退避位置とに移動可能になっている。また、可動ミラー２１は、その一部がハーフミラーで構成されており、このハーフミラー部分を透過した被写体像は、
該可動ミラー２１の裏面側に配置されたサブミラー２９で反射されて、自動測距を行うための測距回路３０に導かれる。
【００２１】
更に、光軸上で可動ミラー２１の後方には、シャッタ３３及び撮像手段である撮像素子（ＣＣＤ）３４が配置されている。上記シャッタ３３は、例えば先幕と後幕とから構成されるフォーカルプレーン式のシャッタであり、ＣＣＤ３４の撮像面を遮光若しくは露出させることにより、その撮像面への被写体像の入射量を調整する。そして、このシャッタ３３は、カメラ用制御回路４０の制御の下、シャッタ駆動機構３５によって開閉駆動が行われる。
【００２２】
上記ＣＣＤ３４は、シャッタ３３を介して入射された被写体像を電気信号に変換する撮像動作を行うためのものである。そして、このＣＣＤ３４で変換された電気信号は、ＣＣＤ駆動回路３６により画像信号として読み出されて、カメラ用制御回路４０内の後述するＣＣＤインターフェース４３に出力される。
【００２３】
次に、カメラ用制御回路４０について説明する。
【００２４】
カメラ用制御回路４０は、カメラ本体２０内部に於ける各種処理を統括的に実行できるように特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、以下ＡＳＩＣと略記する）により構成される。このＡＳＩＣ４０内には、該ＡＳＩＣ４０内の各回路の制御や、後述する測光演算、測距演算等の各種演算を行うもので、演算手段、補正手段の機能を有するシーケンスコントローラ（ボディＣＰＵ）４１が設けられている。そして、このシーケンスコントローラ４１には、ＡＳＩＣ４０内の各種処理データを該ＡＳＩＣ４０内の各部に転送するための転送路であるデータバス４２を介して、ＣＣＤインターフェース４３、画像処理回路４４、圧縮回路４５、ＦＬＡＳＨＲＯＭ制御回路４６、ＳＤＲＡＭ４７、入出力回路５０、通信回路５１、記録媒体制御回路５２、ビデオ信号出力回路５３及びスイッチ検出回路５４が接続されている。
【００２５】
上記ＣＣＤインターフェース４３は、ＣＣＤ３４からＣＣＤ駆動回路３６を介して読み出された画像信号に対し、ノイズ除去、増幅、波形整形等のアナログ処理を施した後、これら処理を施したアナログの画像信号をデジタル信号に変換して撮像データを生成し、この撮像データを画像処理回路４４に出力する。画像処理手段である画像処理回路４４は、ＣＣＤインターフェース４３に於いて生成された撮像データに対し、ホワイトバランス補正やガンマ（γ）補正、色補正等の画像記録のための種々の画像処理を施すものである。
【００２６】
圧縮回路４５は、上記画像処理回路４４にて処理された撮像データを、ＪＰＥＧ方式等の方式で圧縮したり、圧縮された撮像データを伸長したりする。また、ＦＬＡＳＨＲＯＭ制御回路４６は、ＦＬＡＳＨＲＯＭ６１にデータを書き込む際の書き込みアドレスの制御、及びＦＬＡＳＨＲＯＭ６１からデータを読み出す際の読み出しアドレスの制御等を行うためのものである。尚、ＦＬＡＳＨＲＯＭ６１には、シーケンスコントローラ４１が実行する種々のプログラムやカメラ本体２０に関する各種調整値が記憶されている。
【００２７】
ＳＤＲＡＭ制御回路４７は、ＳＤＲＡＭ６２にデータを書き込む際の書き込みアドレスの制御、及びＳＤＲＡＭ６２からデータを読み出す際の読み出しアドレスの制御等を行う。上記ＳＤＲＡＭ６２には、画像処理回路４４にて処理された撮像データや、入出力回路５０を介して入力された測光センサ２５の出力や測距回路３０の出力等の各種データが一時的に格納される。
【００２８】
入出力回路５０は、ＡＳＩＣ４０と、該ＡＳＩＣ４０の外部に設けられた測光センサ２５、ミラー駆動機構２８、測距回路３０、シャッタ駆動機構３５との間で信号の授受を行うためのインターフェース回路である。また、通信回路５１は、ＡＳＩＣ４０と交換レンズ１０内部のレンズＣＰＵ１７との間での通信を行うための通信インターフェース回路である。
【００２９】
記録媒体制御回路５２は、記録媒体６３に、圧縮回路４５によって圧縮された撮像データを書き込む際の書き込みアドレスの制御、及び記録媒体６３から圧縮データを読み出す際の読み出しアドレスの制御等を行うためのものである。上記記録媒体６３は、例えばカメラ本体２０に対して着脱自在なメモリカード等であり、圧縮回路４５によって圧縮された撮像データが記録される。
【００３０】
ビデオ信号出力回路５３は、画像処理回路４４にて処理された撮像データ等を表示に適する信号に変換して液晶モニタ駆動回路６４に出力する。この液晶モニタ駆動回路６４は、ビデオ信号出力回路５３から入力された信号に基づいて、液晶モニタ６５に画像表示を行う。
【００３１】
更に、スイッチ検出回路５４は、図示されないが、パワースイッチ、レリーズスイッチ、メニュースイッチ、撮影モードスイッチ、後述する露出モード変更スイッチ等の操作部材の操作によってオン／オフする各種スイッチ（ＳＷ）６６のオン、オフ状態を検出して、その状態に応じた信号を出力するものである。
【００３２】
次に、このように構成されたカメラの撮影動作について説明する。
【００３３】
図２は、本実施形態に於けるカメラの撮影動作を説明するためのフローチャートである。尚、このカメラの動作は、主にシーケンスコントローラ４１の制御によって行われる。
【００３４】
カメラの待機状態に於いて、撮影動作に入る前に、各種スイッチ６６内の露出モード変更スイッチによって、通常の測光モード、ハイライト測光モード、シャドー測光モード、評価測光モード、中央重点測光モードの何れかが選択されるようになっている。
【００３５】
そして、図示されない第１レリーズスイッチがオンされると、本シーケンスが開始される。先ず、ステップＳ１に於いて、測光センサ２５により測光が行われる。
【００３６】
ここで、図３を参照して、本実施形態に於けるハイライト測光モードを行うための例について説明する。
【００３７】
本実施形態に於いては、測光センサ２５は多分割測光センサで構成されており、例えば図３に示されるように、液晶モニタ６５の画面７０に対して中央部分がスポット測光領域７２であるとする。いま、画面７０内に被写体７１として白い色の花が捉えられたとする。図３に示される状態では、スポット測光領域７２は、その殆どが被写体７１の白い部分で占められる。すると、この状態で通常の測光モードが適用されると、被写体７１の反射率が極端に高いために、白い花がグレーに撮影されてしまう虞れがある。そのため、白い色を補正するべくハイライト測光モードが必要となる。
【００３８】
尚、ここではハイライト測光モードについて説明したが、シャドー測光モードの場合は黒い色を基準としたもので、グレーに撮影されるのを補正する点については同様であるので、ここでの説明は省略する。
【００３９】
また、上述した説明は、スポット測光領域を例としているが、これに限られるものではない。
【００４０】
次に、ステップＳ２にて、サブルーチン「露出演算」が実行される。
【００４１】
図４は、図２のフローチャートのステップＳ２に於けるサブルーチン「露出演算」の動作を説明するためのフローチャートである。
【００４２】
本サブルーチンに入ると、ステップＳ２１にて、図示されないストロボ（登録商標）を発光させるための秒時を決定するための手ぶれ秒時が算出される。次いで、ステップＳ２２にて、被写体の状況が逆光であるか否かの判定処理が実行される。更に、ステップＳ２３では、現在設定されているＩＳＯ感度が算出される。
【００４３】
そして、ステップＳ２４に於いて、上記ステップＳ２１〜Ｓ２３で得られた値と、図１のフローチャートに於けるステップＳ１の測光処理により得られた測光値から、露出量が算出される。この露出量はＥＶ値で表されるもので、通常の一般的な測光モードの場合はＥＶ＝ＢＶ（輝度値）＋ＳＶ（感度）、ハイライト測光モードの場合はＥＶ＝ＢＶ＋ＳＶ−ΔＨ、シャドー測光モードの場合はＥＶ＝ＢＶ＋ＳＶ＋ΔＨ、で表される。ここで、ΔＨは後述するγ曲線に応じて変化するもので、ハイライト測光モードまたはシャドー測光モードに於ける露出の補正量を表している。これらのハイライト測光モード、シャドー測光モードに於ける露出の補正量ΔＨ（γ）は、例えば、下記表１に示されるとおりである。
【表１】
2007129564.tif 000003
【００４４】
このようにして得られた補正量が参照されてＥＶ値が算出されると、続くステップＳ２５に於いて、プログラム系の露出モードであるか否かが判定される。ここで、プログラム系の露出モードとは、下記表２に示されるように、プログラムモード、マクロ撮影用のマクロモード、スポーツモード、ポートレートモード、風景モード、白い色を強調するハイキーモード、黒い色を強調するローキーモード等である。これらの露出モードが選択された場合は、ステップＳ２６に移行して、所定のプログラム線図に基づいて、狙いのＡＶ値、ＴＶ値が算出される。また、プログラム系の露出モード以外のモードである場合は、ステップＳ２７へ移行して、ユーザの設定した撮影条件（絞り、シャッタスピード等）が計算によって狙いのＡＶ値（絞り値）、ＴＶ（シャッタスピード）値として算出される。プログラム系の露出モード以外の露出モードとは、シャッタ優先モード、絞り優先モード、マニュアル露出モード等である。
【表２】
2007129564.tif 000004
【００４５】
次に、ステップＳ２８に於いて、ストロボ発光が可能か否かが判定される。ここで、ストロボ発光が可能な状態であれば、ステップＳ２９に移行してストロボ発光の必要の有無が判断される。そして、ステップＳ３０にて、ストロボ発光時のシャッタ秒時がクリップ処理される。一方、上記ステップＳ２８に於いてストロボ発光が可能でない場合は、上記ステップＳ２９及びＳ３０がスキップされる。
【００４６】
更に、ステップＳ３１では、シャッタスピードのクリップ処理が行われ、続くステップＳ３２にて露出連動範囲外か否かが判断される。そして、ステップＳ３３にてストロボの発光方法が決定されると、ステップＳ３４にて上記のようにして得られた演算値が記憶される。その後、本ルーチンを抜けて図１のフローチャートのステップＳ３へ移行する。
【００４７】
図２のフローチャートに戻って、ステップＳ３では測距回路３０により測距が行われ、その結果に応じてレンズ駆動回路１５を介して撮影レンズ１１が光軸方向に駆動される。次いで、ステップＳ４にて、各種スイッチ６６内の図示されない第２レリーズスイッチの状態が、シーケンスコントローラ４１により判定される。ここで、第２レリーズスイッチがオンされていない場合は、ステップＳ５に移行して、各種スイッチ６６内の図示されない第１レリーズスイッチの状態がシーケンスコントローラ４１により判定される。ここで、第１レリーズスイッチがオンされていれば上記ステップＳ４に移行し、再度第２のレリーズスイッチの状態が判定される。すなわち、第２レリーズスイッチがオンされるまで、シーケンスコントローラ４１によりステップＳ４〜Ｓ５の判定が繰り返される。また、ステップＳ４及びＳ５にて第１、第２レリーズスイッチの何れもオンされていない場合は、本シーケンスが終了して撮影動作が終了する。
【００４８】
上記ステップＳ４にて第２レリーズスイッチがオンされたならば、ステップＳ６にて、観察位置に位置されていた可動ミラー２１が、ミラー駆動機構２８によって図示されない退避位置に移動（ミラーアップ）される。このとき、測距回路３０に被写体像を導くサブミラー２９は、折り畳まれて可動ミラーと共に上記退避位置に移動される。次いで、ステップＳ７にて、絞り駆動機構１６により絞り１２の絞り込みが行われる。この絞り１２の絞り込み動作は、レンズデータＲＯＭ１８に記憶されている値と上記ステップＳ２の露出演算により得られたＡＶ値に応じて行われる。
【００４９】
そして、ステップＳ８にて、ＣＣＤ駆動回路３６によりＣＣＤ３４が駆動されて撮像が開始される。続くステップＳ９では、シャッタ駆動機構３５の駆動によりシャッタ３３の開閉が行われる。このシャッタ３３の開閉時間は、上記ステップＳ３の露出演算にて算出されたＴＶ値に基づいたものである。
【００５０】
その後、ステップＳ１０にてＣＣＤ３４による撮像が停止されると、続くステップＳ１１に於いて、画像処理回路４４によってガンマ補正等の所定の画像処理が行われる。そして、ここで処理された撮像データが、ステップＳ１２にて、ＳＤＲＡＭ制御回路４７を介してバッファメモリであるＳＤＲＡＭ６２に格納される。更に、ステップＳ１３及びＳ１４にて、絞り駆動機構１６による絞り１２の開放、及びミラー駆動機構２８による可動ミラー２１の退避位置から観察位置への移動（ミラーダウン）が行われる。
【００５１】
次に、ステップＳ１５に於いて、撮影モードが連写モードであるか否かがシーケンス１コントローラ４１により判定される。この連写モードの設定は、各種スイッチ６６内の撮影モードにより行われる。そして、このステップＳ１５にて、カメラが連写モードに設定されていると判定された場合は、ステップＳ１６に移行して第２レリーズスイッチの状態が判定される。ここで、第２レリーズスイッチがオンされていれば、上記ステップＳ６へ移行して以降の処理動作が繰り返される。一方、上記ステップＳ１５にて連写モードでないと判定された場合、及び上記ステップＳ１６にて第２レリーズスイッチがオンされていない場合は、それぞれステップＳ１７へ移行する。
【００５２】
ステップＳ１７では、記録媒体制御回路５２を介して記録媒体６３であるメモリカードに、上記ＳＤＲＡＭ６２に一時的に格納されていた撮像データが記録される。そして、ステップＳ１８にて、第１レリーズスイッチの状態がシーケンスコントローラ４１にて判定され、第１レリーズスイッチがオフになったならば、本シーケンスが終了して撮影動作が終了する。
【００５３】
図５乃至図７は、一般的なＣＣＤのガンマ特性の例を示した図である。図５乃至図７に於いて、横軸はＣＣＤ出力の明るさ（ＣＣＤ出力データ）を表し、縦軸はＣＣＤの明るさに応じたγ変換後の最終画像の明るさ（画像データ）を表している。以下、これらの特性図を参照して、ハイライト基準側に露出値を補正するハイライト測光モードの補正量、及びシャドー基準側に露出値を補正するシャドー測光モードの補正量について説明する。
【００５４】
本実施形態に於けるカメラは、図５に示されるように、γ１、γ２、γ３、γ４の４つのガンマ特性曲線を有しているものとする。そして、ＣＣＤの明るさに対して選択された特性曲線に従って最終的な画像データが形成される。つまり、通常の測光モードの場合でも、図１に示されるように、ガンマ特性曲線はそれぞれ異なる特性を有しているので、同じＣＣＤの明るさであっても、どのガンマ特性曲線を選択するかによって、最終画像で狙いの明るさ（図５では２２５）となるための狙いのＣＣＤ出力レベル（ＬＥＶＥＬ１〜４）が異なるものとなっている。例えば、図２に示されるようなスポット測光領域７２により被写体７１の色が一面グレーであると判定される値であれば、図５に於いて、ＣＣＤの狙いの明るさは、γ１、γ２、γ３、γ４のガンマ特性曲線に対して、それぞれＬＥＶＥＬ１、ＬＥＶＥＬ２、ＬＥＶＥＬ３（＝ＬＥＶＥＬ２）、ＬＥＶＥＬ４の値となる。その場合、最終画像の明るさが“１２５”となる。
【００５５】
尚、このガンマ特性曲線の選択は、撮影モードに応じて、或いはユーザによる操作によって決定される。そして、このガンマ特性曲線に従った画像変換処理は、画像処理回路４４によって行われる。
【００５６】
ここで、図６及び図７を参照して、ハイライト測光モードの補正量及びシャドー測光モードの補正量について説明する。
【００５７】
図６は、図５に示されたγ１及びγ３のガンマ特性曲線を示した図である。図５にも示されるように、最終画像の狙いの明るさが“１２５”である場合のガンマ特性曲線γ１、γ３によるＣＣＤ出力の狙いの明るさは、それぞれＬＥＶＥＬ１、ＬＥＶＥＬ３の値をとる。よって、通常の測光モードではガンマ特性曲線γ１の場合には、ＬＥＶＥＬ１となるように、γ２の場合にはＬＥＶＥＬ２となるように露出を決定する。
【００５８】
いま、上述したように、グレーで表現されている図２の被写体７１の色を白い色で表現しようとすると、最終画像の狙いの明るさを、基準の“１２５”からシフトさせて、例えば“２４０”相当にすることになる。ここで、最終画像の値は２５５に近いほど絵としては白く、０に近いほど暗く表現される。よって、“２４０”は白っぽく表現されるように選択した値である。すると、ガンマ特性曲線γ１、γ３によるＣＣＤ出力の狙いの明るさは、それぞれＬＥＶＥＬ１′、ＬＥＶＥＬ３′の値になる。そして、ＬＥＶＥＬ１′とＬＥＶＥＬ１の差であるΔＨ１、ＬＥＶＥＬ３′とＬＥＶＥＬ３の差であるΔＨ３が、ガンマ特性曲線γ１、γ３を用いた場合のハイライト測光モードの補正量となる。このハイライト測光モード用の補正量が用いられてＥＶ値が算出されれば、例えば、図２に示されるような白い花の被写体７１は、グレーに表現されることなく、白い色の階調が強調されて表現される。
【００５９】
また、同様にして、グレーで表現されている被写体の色を黒い色で表現しようとすると、“１２５”の値の最終画像の明るさを、例えば“２０”相当にすることになる。すると、ガンマ特性曲線γ１、γ３によるＣＣＤ出力の狙いの明るさは、それぞれＬＥＶＥＬ１″、ＬＥＶＥＬ３″の値になる。そして、ＬＥＶＥＬ１″とＬＥＶＥＬ１の差であるΔＬ１、ＬＥＶＥＬ３″とＬＥＶＥＬ１の差であるΔＬ３が、それぞれガンマ特性曲線γ１、γ３を用いた場合のシャドー測光モードの補正量となる。この場合、シャドー測光モードに於いては、ΔＬ１とΔＬ３では補正量に差があるものの、最終画像の明るさは同じ値となっている。このシャドー測光モード用の補正量を用いてＥＶ値が算出されれば、例えば、黒い机の上にある黒い本が被写体であっても、グレーに表現されることなく、黒い色の階調が強調されて表現される。
【００６０】
図７は、図５に示されたγ２及びγ３のガンマ特性曲線を示した図である。図５にも示されるように、最終画像の狙いの明るさが“１２５”である場合のガンマ特性曲線γ２、γ３によるＣＣＤ出力の狙いの明るさは、それぞれＬＥＶＥＬ２、ＬＥＶＥＬ３で同じ値をとっている。上述した実施形態では、この白のような場合を例にしている。図６の場合と同様に、“１２５”の値の最終画像の明るさを、例えば“２４０”相当にして表そうとすると、ガンマ特性曲線γ２、γ３によるＣＣＤ出力の狙いの明るさは、それぞれＬＥＶＥＬ２′、ＬＥＶＥＬ３′の値になる。そして、ＬＥＶＥＬ２′とＬＥＶＥＬ２の差であるΔＨ２、ＬＥＶＥＬ３′とＬＥＶＥＬ３の差であるΔＨ３が、それぞれガンマ特性曲線γ２、γ３を用いた場合のハイライト測光モードの補正量となる。
【００６１】
この場合、ＣＣＤの明るさが基準となる“１２５”のときのＣＣＤの狙いの明るさは、ガンマ特性曲線γ２、γ３の何れが用いられても、ＬＥＶＥＬ２＝ＬＥＶＥＬ３で同じ値である。しかしながら、ガンマ特性曲線γ２、γ３の差により、最終画像の狙いの明るさが“２４０“のときは、ＣＣＤ出力の狙いの明るさに差が生じる。
【００６２】
また、同様にして、“１２５”の値の最終画像の狙いの明るさを、例えば“２０”相当にして表そうとすると、ガンマ特性曲線γ２、γ３によるＣＣＤ出力の狙いの明るさは、それぞれＬＥＶＥＬ２″、ＬＥＶＥＬ３″の値になる。そして、ＬＥＶＥＬ２″とＬＥＶＥＬ２の差であるΔＬ２、ＬＥＶＥＬ３″とＬＥＶＥＬ３の差であるΔＬ３が、ガンマ特性曲線γ２、γ３を用いた場合のシャドー測光モードの補正量となる。この場合、シャドー測光モードに於いても、ハイライト測光モードと同様に、最終画像の狙いの明るさが基準となる“１２５”のときのＣＣＤの狙いの明るさは同じ値であるが、ガンマ特性曲線γ２、γ３の差により、ＣＣＤの明るさが“２０“のときは、ＣＣＤの狙いの明るさに差が生じる。
【００６３】
このようにして、このハイライト測光モード用の補正量の補正量が用いられてＥＶ値が算出されれば、白い色の階調が強調された被写体の画像となり、シャドー測光モード用の補正量が用いられてＥＶ値が算出されれば、黒い色の階調が強調された被写体の画像が得られる。
【００６４】
以上、本発明の実施形態について説明したが、本発明は上述した実施形態以外にも、本発明の要旨を逸脱しない範囲で種々の変形や応用が可能である。
【図面の簡単な説明】
【００６５】
【図１】本発明の一実施形態に係るデジタルカメラの電気回路構成を説明するためのブロック図である。
【図２】本発明の一実施形態に於けるカメラの撮影動作を説明するためのフローチャートである。
【図３】本発明の一実施形態に於けるハイライト測光モードを行うための例について説明する図である。
【図４】図２のフローチャートのステップＳ２に於けるサブルーチン「露出演算」の動作を説明するためのフローチャートである。
【図５】一般的なＣＣＤのガンマ特性の例を示した図である。
【図６】図５に示されたγ１及びγ３のガンマ特性曲線を示した図である。
【図７】図５に示されたγ２及びγ３のガンマ特性曲線を示した図である。
【符号の説明】
【００６６】
１０…交換レンズ、１１…撮影レンズ、１２…絞り、１５…レンズ駆動回路、１６…絞り駆動機構、１７…レンズＣＰＵ、１８…レンズデータＲＯＭ、２０…カメラ本体、２１…可動ミラー、２２…フォーカシングスクリーン、２３…ペンタプリズム、２４…接眼レンズ、２５…測光センサ、２８…ミラー駆動機構、２９…サブミラー、３０…測距回路、３３…シャッタ、３４…撮像素子（ＣＣＤ）、３５…シャッタ駆動機構、３６…ＣＣＤ駆動回路、４０…カメラ用制御回路（ＡＳＩＣ）、４１…シーケンスコントローラ（ボディＣＰＵ）、４２…データバス、４３…ＣＣＤインターフェース、４４…画像処理回路、４５…圧縮回路、４６…ＦＬＡＳＨＲＯＭ制御回路、４７…ＳＤＲＡＭ、５０…入出力回路、５１…通信回路、５２…記録媒体制御回路、５３…ビデオ信号出力回路、５４…スイッチ検出回路５４、６１…ＦＬＡＳＨＲＯＭ、６２…ＳＤＲＡＭ、６３…記録媒体、６４…液晶モニタ駆動回路、６５…液晶モニタ、６６各種スイッチ（ＳＷ）。
【図１】
2007129564.tif 000005
【図２】
2007129564.tif 000006
【図３】
2007129564.tif 000007
【図４】
2007129564.tif 000008
【図５】
2007129564.tif 000009
【図６】
2007129564.tif 000010
【図７】
2007129564.tif 000011